(57)【要約】【課題】輸送機器の目的地到着後において外部機器のバッテリの残容量不足を未然に防止するのに有効な情報通知装置を提供する。【解決手段】第１通信回路１０３と、第２通信回路１０４と、時計１０５と、コントローラ１０６と、を備える。第１通信回路１０３は、輸送機器が目的地に到着する予定時刻に関する第１情報が入力される。第２通信回路１０４は、スマートフォン３００が備えるバッテリの残量に関する第２情報が入力される。時計１０５は、現在時刻を保持する。コントローラ１０６は、第１情報、第２情報、及び現在時刻に基づく第１タイミングでスマートフォン３００を充電するように促す催促情報を出力する。【選択図】図１
2016179808.tif 000002
【特許請求の範囲】
【請求項１】
輸送機器が目的地に到着する予定時刻に関する第１情報が入力される第１通信回路と、
外部機器が備えるバッテリの残量に関する第２情報が入力される第２通信回路と、
現在時刻を保持する時計と、
前記第２情報に基づいて前記外部機器を満充電まで充電するのにかかる第１充電時間を算出し、前記第１情報、前記現在時刻、及び前記第１充電時間に基づく第１タイミングで前記外部機器を充電するように促す情報を出力するコントローラと、
を備える情報通知装置。
【請求項２】
前記コントローラは、前記第２情報と、前記外部機器を充電する第１電源の前記外部機器への電力供給能力に関する第１電力情報とに基づいて前記第１充電時間を算出する、
請求項１記載の情報通知装置。
【請求項３】
前記第２情報は、前記バッテリの全バッテリ容量に関する情報、及び前記バッテリの残バッテリ容量に関する情報である、
請求項２記載の情報通知装置。
【請求項４】
前記第２通信回路は、無線通信によって前記第２情報を入手する、
請求項１記載の情報通知装置。
【請求項５】
前記コントローラは、前記現在時刻が前記第１情報が示す到着予定時刻から前記第１充電時間だけ遡った時刻を過ぎる前のタイミングを前記第１タイミングとする、
請求項２記載の情報通知装置。
【請求項６】
前記コントローラは、前記第２情報と、前記外部機器を充電する第２電源の前記外部機器への電力供給能力に関する第２電力情報とに基づいて第２充電時間を算出し、
前記第１情報、前記現在時刻、及び前記第２充電時間に基づく第２タイミングで前記外部機器を充電するように促す情報を出力する、
請求項２記載の情報通知装置。
【請求項７】
前記第１電源及び前記第２電源は、互いに異なる方式で前記外部機器と接続可能である、
請求項６記載の情報通知装置。
【請求項８】
前記第１電源及び前記第２電源の電力供給能力が異なる、
請求項６記載の情報通知装置。
【請求項９】
前記第１電源及び前記第２電源は、一方が有線接続により前記外部機器と接続可能であり、他方が無線接続により前記外部機器と接続可能である、
請求項６記載の情報通知装置。
【発明の詳細な説明】
【技術分野】
【０００１】
本開示は、旅客用航空機等の輸送機器内において外部機器を充電するための情報を通知する情報通知装置に関する。
【背景技術】
【０００２】
特許文献１は、目的地到着予想時刻までにバッテリの残容量が所定レベル以下に低下すると判定した場合に、ユーザに対して充電を奨めるメッセージを表示する携帯端末を開示する。
【先行技術文献】
【特許文献】
【０００３】
【特許文献１】特開２０１１−１６９６３２号公報
【発明の概要】
【発明が解決しようとする課題】
【０００４】
本開示は、輸送機器の目的地到着後において外部機器のバッテリの残容量不足を未然に防止するのに有効な情報通知装置を提供する。
【課題を解決するための手段】
【０００５】
本開示における情報通知装置は、第１通信回路と、第２通信回路と、時計と、コントローラと、を備える。第１通信回路は、輸送機器が目的地に到着する予定時刻に関する第１情報が入力される。第２通信回路は、外部機器が備えるバッテリの残量に関する第２情報が入力される。時計は、現在時刻を保持する。コントローラは、第２情報に基づいて外部機器を満充電まで充電するのにかかる第１充電時間を算出し、第１情報、現在時刻、及び第１充電時間に基づく第１タイミングで外部機器を充電するように促す情報を出力する。
【発明の効果】
【０００６】
本開示における情報通知装置は、輸送機器の目的地到着後において外部機器のバッテリの残容量不足を未然に防止するのに有効である。
【図面の簡単な説明】
【０００７】
【図１】実施の形態１における情報通知装置の電気的構成を示すブロック図である。
【図２】実施の形態１におけるコントローラの機能ブロックを模式的に示す図である。
【図３】実施の形態１における判定部の機能ブロックを模式的に示す図である。
【図４】実施の形態１における情報通知装置の動作を示すフローチャートである。
【図５】実施の形態２における情報通知装置の電気的構成を示すブロック図である。
【図６】実施の形態２における判定部の機能ブロックを模式的に示す図である。
【発明を実施するための形態】
【０００８】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面及び以下の説明は、当業者が本開示を十分に理解するために、提供されるのであって、これらにより特許請求の範囲に記載の主題を限定することは意図されていない。
【００１０】
（実施の形態１）
以下、図１〜４を用いて、実施の形態１を説明する。
【００１１】
本実施の形態における情報通知装置は、自動車や航空機、列車、バス、客船といった輸送機器を利用する状況において、ユーザが輸送機器の外部から持ち込むスマートフォンやタブレット、ノートパソコンといった充電可能な外部機器を充電するタイミングに関する情報を、ユーザに通知する。以下では、外部機器としてスマートフォンを例に挙げて説明する。
【００１２】
［１−１．構成］
図１は、本実施の形態における情報通知装置１００の電気的構成を示すブロック図である。情報通知装置１００は、第１通信回路１０３と、第２通信回路１０４と、時計１０５と、コントローラ１０６とを備える。情報通知装置１００は、輸送機器に設けられるサーバ２００と有線接続される。また、情報通知装置１００は、ユーザが所有するスマートフォン３００と無線での接続が可能である。また、スマートフォン３００は、輸送機器に設けられる電源装置４００と接続することにより充電が可能である。
【００１３】
（サーバ２００）
サーバ２００は、輸送機器に搭載される。サーバ２００は、輸送機器の輸送運航に関わる時刻および経路情報を監視してコントロールするナビゲーションシステム（図示せず）から、目的地に到着する予定の時刻（到着予定時刻）の情報を入手する。サーバ２００は、情報通知装置１００と通信可能に有線で接続される。サーバ２００は、入手した到着予定時刻の情報を第１情報として、第１通信回路１０３に入力する。
【００１４】
ナビゲーションシステムにおける目的地への到着予定時刻の推定は、輸送機器の位置情報、経路状況情報、及び／又は輸送機器の移動速度情報等をもとに行われる。輸送機器の位置情報は、輸送機器がもつＧＰＳ（Ｇｌｏｂａｌ  Ｐｏｓｉｔｉｏｎｉｎｇ  Ｓｙｓｔｅｍ）機能や電話回線や無線ＬＡＮのような通信機能を利用して取得することができる。経路状況情報としては、ＶＩＣＳ（登録商標、Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）のような移動経路の混雑具合を示す情報が一例として挙げられる。なお、サーバ２００が到着予定時刻を入手する入手先は、ナビゲーションシステムに限らない。サーバ２００は、輸送機器の運航予定表のみをもつようなサーバ等から、到着予定時刻を入手してもよい。
【００１５】
（スマートフォン３００）
スマートフォン３００は、内蔵するバッテリで駆動可能な携帯端末である。スマートフォン３００は、輸送機器がもつ電源装置４００から電力を供給されることで再充電することが可能である。スマートフォン３００は、搭載するバッテリの容量を示す全バッテリ容量情報と、現在のバッテリの残容量を示す残バッテリ容量情報とを含むシステム情報を第２情報として保持する。スマートフォン３００は、第２情報を無線により第２通信回路１０４に入力することが可能である。
【００１６】
（電源装置４００）
電源装置４００は、輸送機器に備えられ、輸送機器内の各部に電源を供給する。電源装置４００は、情報通知装置１００のコントローラ１０６へ、電源装置４００が供給可能な電流の情報である電流値を通知する。また電源装置４００は、スマートフォン３００を有線接続することにより、スマートフォン３００に電力を供給可能である。なお、電源装置４００のスマートフォン３００への電力の供給方法は有線接続である必要はなく、電磁誘導や磁気共鳴といった無線電力伝送技術を使った方法でもよい。電源装置４００は、第１電源の一例である。電流値は、外部機器への電力供給能力に関する情報である第１電力情報の一例である。
【００１７】
（第１通信回路１０３）
第１通信回路１０３は、サーバ２００と有線で接続され、サーバ２００からの入力を受信する回路である。第１通信回路１０３は、サーバ２００から出力された目的地への到着予定時刻を第１情報として受信する。
【００１８】
（第２通信回路１０４）
第２通信回路１０４は、スマートフォン３００と無線通信を行う無線通信モジュールである。第２通信回路１０４は、全バッテリ容量情報と残バッテリ容量情報とを第２情報として受信する。
【００１９】
（時計１０５）
時計１０５は、現在時刻を保持する。時計１０５は、現在時刻をコントローラ１０６へ出力する。時計１０５が保持する現在時刻は、サーバ２００やナビゲーションシステムの現在時刻と同期していることが望ましい。
【００２０】
（コントローラ１０６）
コントローラ１０６は、情報通知装置１００全体を統括制御する。コントローラ１０６は内部にメモリ（図示せず）を備える。コントローラ１０６は、メモリに記憶されたプログラムを実行することにより、様々な機能を実現する。図２は、本実施の形態のコントローラ１０６の機能ブロックを模式的に示す図である。図２に示すように、コントローラ１０６は、充電量推定部１０８と判定部１０９とを有している。すなわち、コントローラ１０６は、プログラムを実行することにより充電量推定部１０８及び判定部１０９として動作する。コントローラ１０６は、第１情報、第２情報、現在時刻、及び電流値に基づくタイミング（第１タイミング）で、スマートフォン３００を充電するようにユーザを促す情報を出力する。
【００２１】
充電量推定部１０８は、第２通信回路１０４から入力される全バッテリ容量情報と残バッテリ容量情報とから、満充電までに必要な充電量を推定し、判定部１０９へ出力する。判定部１０９は、第１通信回路１０３から入力される到着予定時刻の情報と、時計１０５から入力される現在時刻と、電源装置４００から入力される電流値と、充電量推定部１０８から入力される充電量とに基づいて、ユーザへスマートフォン３００の充電開始を勧める旨を示す催促情報を出力する。
【００２２】
図３は、本実施の形態の判定部１０９の機能ブロックを模式的に示す図である。判定部１０９は、図３に示すように、充電可能時間推定部１０９ａと、充電時間推定部１０９ｂと、比較部１０９ｃとを有している。充電可能時間推定部１０９ａは、時計１０５より出力される現在時刻と、第１通信回路１０３より出力される到着予定時刻とから、到着までに充電可能な時間を推定し、充電可能時間情報として比較部１０９ｃへ出力する。充電可能な時間は、到着予定時刻と現在時刻との差を求めることにより推定できる。
【００２３】
充電時間推定部１０９ｂは、充電量推定部１０８から出力される充電量情報と電源装置４００から通知される電流値とから充電時間を推定する。充電時間は、スマートフォン３００のバッテリに電流値で示される電流を流して満充電となるまで充電するのに要する時間である。なお、電流値の代わりに電源装置４００が供給可能な電力値の最大値を用いてもよい。
【００２４】
比較部１０９ｃは、充電可能時間推定部１０９ａより出力される充電可能時間情報と、充電時間推定部１０９ｂから出力される充電時間情報とを比較して、充電時間が充電可能時間よりも長くならないように監視する。そして比較部１０９ｃは、充電時間が充電可能時間を超える前のタイミング（第１タイミング）で、ユーザへ充電の開始を勧める旨を伝えるための催促情報を出力する。つまりコントローラ１０６は、全バッテリ容量情報と残バッテリ容量情報（第２情報）と電流値とに基づいてスマートフォン３００を満充電まで充電するのにかかる充電時間を算出し、到着予定時刻（第１情報）、現在時刻及び充電時間に基づいて第１タイミングを決定する。
【００２５】
催促情報は、ユーザに充電開始の必要性を伝えるための情報である。催促情報は、ユーザに認知させうるものであれば、いかなるかたちで出力されてもよい。例えば、催促情報を文字や図形として、輸送機器に設置されたモニタに表示させてもよい。また、催促情報を音としてスピーカから出力したり、光として照明やインジケータランプから出力したり、バイブレーションとしてバイブレータから出力することにより、ユーザに知らせてもよい。また輸送機器に設置されたデバイスを使った認知方法をとらず、催促情報をスマートフォン３００に送信し、スマートフォン３００を使ってユーザに通知してもよい。
【００２６】
［１−２．動作］
次に、本実施の形態の情報通知装置１００の動作について説明する。
【００２７】
図４は、本実施の形態における情報通知装置１００の動作を示すフローチャートである。コントローラ１０６は、電源装置４００から、電源装置４００が供給可能な電流値を取得する（Ｓ１）。スマートフォン３００のような充電可能な電子機器は、決まった電圧で充電されることが一般的である。例えば、ＵＳＢケーブルを用いて充電するようなＵＳＢ機器では、電流値は最大電流５００ｍＡ（ＵＳＢ２．０）となっている。本実施の形態では、スマートフォン３００に供給する電流値は電源装置４００によって決まる。コントローラ１０６は、電源装置４００が供給可能な電流値を取得して内部のメモリに記憶する。
【００２８】
コントローラ１０６は、スマートフォン３００（またはなんらかの無線通信可能な外部機器）が情報通知装置１００との通信圏内に入ったかどうかを判断する（Ｓ２）。コントローラ１０６は、スマートフォン３００が通信圏内に入っていないと判断する場合（ステップＳ２においてＮＯ）、一定時間毎にステップＳ２の処理を繰り返す。スマートフォン３００が輸送機器の中に持ち込まれると、スマートフォン３００と輸送機器内の情報通知装置とが、互いに無線通信の電波が届く通信圏内になる。コントローラ１０６が、スマートフォン３００が通信圏内に入ったと判断する場合（ステップＳ２においてＹＥＳ）、コントローラ１０６は、スマートフォン３００との間で無線接続処理を行う（Ｓ３）。
【００２９】
コントローラ１０６は、スマートフォン３００との無線接続処理が完了すると、まず初めにスマートフォン３００と通信を行って全バッテリ容量情報を取得する（Ｓ４）。
【００３０】
次にコントローラ１０６は、無線接続をしたスマートフォン３００について、充電するかどうかを判断する判定タイミングであるかどうかを確認する（Ｓ５）。コントローラ１０６は、判定タイミングでないと判断する場合（ステップＳ５においてＮＯ）、一定時間毎にステップＳ５の処理を繰り返す。判定タイミングを一定時間間隔にすることで、急な残バッテリ容量の変化に対しても迅速に対応可能となる。なお、判定タイミングを一定時間毎ではなく、スマートフォン３００で動作させるアプリケーションが変わった場合等の動作機能の状態が変化した場合としてもよい。この場合、スマートフォン３００から情報通知装置１００へ判定タイミングを通知させるようにしてもよい。さらに時間と動作機能を組み合わせたタイミング、例えば動作機能が変化した時を起点に一定時間間隔で判定するとしてもよい。
【００３１】
コントローラ１０６は、判定タイミングであると判断する場合（ステップＳ５においてＹＥＳ）、スマートフォン３００と通信を行い、残バッテリ容量情報を取得する（Ｓ６）。コントローラ１０６がスマートフォン３００から残バッテリ容量情報を取得すると、コントローラ１０６（充電量推定部１０８）は全バッテリ容量情報と残バッテリ容量情報とから使用されたバッテリ容量、すなわち充電することで補充できるバッテリ容量を充電量として推定する（Ｓ７）。
【００３２】
次にコントローラ１０６は、目的地への到着予定時刻と現在時刻とを取得し、これらに基づいてスマートフォン３００の充電可能時間を推定する（Ｓ８）。具体的には、コントローラ１０６は、サーバ２００から到着予定時刻を取得する。また、コントローラ１０６は、時計１０５から現在時刻を取得する。コントローラ１０６（判定部１０９内の充電可能時間推定部１０９ａ）は、到着予定時刻と現在時刻との差を算出する。この差は、目的地に到着するまでの残りの移動時間である。つまり、この残りの移動時間は、スマートフォン３００のバッテリを充電可能な時間になる。
【００３３】
次にコントローラ１０６（判定部１０９の充電時間推定部１０９ｂ）は、充電量と電流値とから充電時間を推定する（Ｓ１０）。すなわち、コントローラ１０６は、充電することで補充すべきバッテリ容量を、電源装置４００が供給可能な電流値で充電すると、どのくらいの時間で満充電にできるかの推定値を、充電時間として算出する。
【００３４】
コントローラ１０６（判定部１０９の比較部１０９ｃ）は、充電時間と充電可能時間とを比較する（Ｓ１１）。コントローラ１０６は、充電時間に短いマージンαを加え、充電時間＋αが充電可能時間より大きいと判断する場合（Ｓ１１においてＹＥＳ）、外部に催促情報を出力する（Ｓ１２）。つまりコントローラ１０６は、現在時刻が到着予定時刻から充電時間だけ遡った時刻を過ぎる前のタイミングを第１タイミングとして、外部に催促情報を出力する。なお、ステップＳ１１にて充電時間＋αが充電可能時間より大きいと判断するときが、第１タイミングに相当する。第１タイミングは、ユーザにスマートフォン３００（のバッテリ）の充電開始を勧める旨を伝えるタイミングである。言い換えると、第１タイミングは、スマートフォン３００（のバッテリ）の充電を開始すべきタイミングでもある。
【００３５】
一方、コントローラ１０６は、充電時間＋αが充電可能時間以下であると判断する場合（Ｓ１１においてＮＯ）、ステップＳ５以下の処理を繰り返す。判定タイミングの間隔に応じて適切なマージンαを充電時間に加えておくことで、充電時間が充電可能時間よりも短いうちに催促情報を出力することができ、また、判定タイミングにより充電時間＞充電可能時間となることを防ぐことができる。例えばαが判定タイミングの間隔未満である場合、前回の判定では充電時間＋α＜充電可能時間であったにもかかわらず、今回の判定で充電時間＞充電可能時間となる可能性がある。一方、αが判定タイミングの間隔以上であれば、このようなことを防ぐことができる。コントローラ１０６はこのようにして、充電時間のほうが長くなる前にユーザに向けて催促情報を出力することができる。
【００３６】
［１−３．効果等］
以上のように、本実施の形態において、情報通知装置１００は、第１通信回路１０３と、第２通信回路１０４と、時計１０５と、コントローラ１０６と、を備える。第１通信回路１０３は、輸送機器が目的地に到着する予定時刻に関する第１情報が入力される。第２通信回路１０４は、スマートフォン３００が備えるバッテリの残量に関する第２情報が入力される。時計１０５は、現在時刻を保持する。コントローラ１０６は、第２情報に基づいてスマートフォン３００を満充電まで充電するのにかかる第１充電時間を算出し、第１情報、現在時刻、及び第１充電時間に基づく第１タイミングでスマートフォン３００を充電するように促す催促情報を出力する。
【００３７】
これにより、スマートフォン３００のユーザは、輸送機器の目的地到着までの残り時間を利用してスマートフォン３００を満充電にできるぎりぎりのタイミング、つまりこれ以上充電開始が遅れると、目的地到着までにスマートフォン３００を満充電にできない（可能性がある）、というタイミングを知ることができる。このため、情報通知装置１００は、輸送機器の目的地到着後においてスマートフォン３００のバッテリの残容量不足を未然に防止するのに有効である。
【００３８】
（実施の形態２）
本開示の実施の形態２における情報通知装置について、図５〜図６を用いて説明する。
【００３９】
［２−１．構成］
実施の形態２は、コントローラ及び電源装置の構成が実施の形態１と異なり、その他の構成についてはほぼ同じである。したがって、以下では主に実施の形態１と相違する内容について説明し、実施の形態１と同等の部分については重複説明を省略する。
【００４０】
図５は、本実施の形態における情報通知装置１１０の電気的構成を示すブロック図である。情報通知装置１１０は、第１通信回路１０３と、第２通信回路１０４と、時計１０５と、コントローラ１１６とを備える。情報通知装置１１０は、輸送機器に設けられるサーバ２００と有線接続される。また、情報通知装置１１０は、ユーザが所有するスマートフォン３００と無線での接続が可能である。また、スマートフォン３００は、輸送機器に設けられる第１電源装置４０１及び／または第２電源装置４０２と接続することにより充電が可能である。本実施の形態が実施の形態１と異なる点は、実施の形態１では電源装置、充電時間推定部、及び比較部が１系統であったのに対し、本実施の形態ではこれが２系統となっている点である。
【００４１】
（第１電源装置、第２電源装置）
第１電源装置４０１及び第２電源装置４０２は、輸送機器に備えられる。第１電源装置４０１及び第２電源装置４０２は、情報通知装置１１０のコントローラ１１６へ、各々が供給可能な電流値ａ及び電流値ｂを通知する。第１電源装置４０１及び第２電源装置４０２は、互いに異なる方式でスマートフォン３００と接続することにより、スマートフォン３００に電力を供給可能である。互いに異なる方式とは、供給可能な電流値（電力）の違いであってもよいし、有線か無線かの違いであってもよいし、接続する規格やバージョンの違いであってもよい。例えば、第１電源装置４０１及び第２電源装置４０２の一方が有線接続であり、他方が無線接続であってもよい。また、両方が有線接続であり、一方がＵＳＢ２．０、他方がＵＳＢ３．０に対応したものであってもよい。また、両方が無線接続であり、一方がＷＰＣ（Ｗｉｒｅｌｅｓｓ  Ｐｏｗｅｒ  Ｃｏｎｓｏｒｔｉｕｍ）が勧めるＱｉ、もう一方がＰＭＡ（Ｐｏｗｅｒ  Ｍａｔｔｅｒｓ  Ａｌｌｉａｎｃｅ）に対応したものであってもよい。第１電源装置４０１は、第１電源の一例である。電流値ａは、外部機器への電力供給能力に関する情報である第１電力情報の一例である。第２電源装置４０２は、第２電源の一例である。電流値ｂは、外部機器への電力供給能力に関する情報である第２電力情報の一例である。
【００４２】
輸送機器によっては、電力を供給する電源供給部を複数種類用意し、ユーザの嗜好に合わせた供給方法を可能にしている。例えば、ＵＳＢケーブルを使用した給電方法においてもＵＳＢ２．０を用いて最大５００ｍＡで充電するＵＳＢポートを備えたものと、ＵＳＢ２．０よりも急速に充電できるとして、５００ｍＡ以上の電流を流すＵＳＢポートを備えたものや、ＵＳＢ３．０といった複数のＵＳＢポートを備えたものがある。このように、第１電源装置４０１と第２電源装置４０２とで、電力供給能力が異なっていてもよい。
【００４３】
（コントローラ１１６）
コントローラ１１６は、プログラムを実行することにより充電量推定部１０８及び判定部１１９として動作する。コントローラ１１６は、第１情報、第２情報、現在時刻、及び電流値ａに基づくタイミング（第１タイミング）で、スマートフォン３００を充電するようにユーザを促す情報を出力する。また、コントローラ１１６は、第１情報、第２情報、現在時刻、及び電流値ｂに基づくタイミング（第２タイミング）で、スマートフォン３００を充電するようにユーザを促す情報を出力する。
【００４４】
充電量推定部１０８は、第２通信回路１０４から入力された全バッテリ容量情報と残バッテリ容量情報とから、満充電までに必要な充電量を推定して判定部１１９へ出力する。
【００４５】
図６は、実施の形態２における判定部１１９の機能ブロックを模式的に示す図である。判定部１１９（コントローラ１１６）は、図６に示すように充電可能時間推定部１１９ａ、第１充電時間推定部１１９ｂａ、第２充電時間推定部１１９ｂｂ、第１比較部１１９ｃａ、及び第２比較部１１９ｃｂとして動作する。
【００４６】
第１充電時間推定部１１９ｂａは、充電量推定部１０８から出力される充電量情報と第１電源装置４０１から通知される電流値ａとから第１充電時間を推定する。なお、電流値ａの代わりに第１電源装置４０１が供給可能な電力値の最大値を用いてもよい。
【００４７】
第２充電時間推定部１１９ｂｂは、充電量推定部１０８から出力される充電量情報と第２電源装置４０２から通知される電流値ｂとから第２充電時間を推定する。なお、電流値ｂの代わりに第２電源装置４０２が供給可能な電力値の最大値を用いてもよい。
【００４８】
第１比較部１１９ｃａは、充電可能時間推定部１１９ａから出力される充電可能時間情報と、第１充電時間推定部１１９ｂａから出力される第１充電時間とを比較して、第１充電時間が充電可能時間よりも長くならないように監視する。そして第１比較部１１９ｃａは、第１充電時間が充電可能時間を超える前のタイミング（第１タイミング）で、ユーザに対して第１電源装置４０１へ接続して充電を開始することを勧める旨を伝えるための催促情報ａを出力する。
【００４９】
第２比較部１１９ｃｂは、充電可能時間推定部１１９ａから出力される充電可能時間情報と、第２充電時間推定部１１９ｂｂから出力される第２充電時間とを比較して、第２充電時間が充電可能時間よりも長くならないように監視する。そして第２比較部１１９ｃｂは、第２充電時間が充電可能時間を超える前のタイミング（第２タイミング）で、ユーザに対して第２電源装置４０２へ接続して充電を開始することを勧める旨を伝えるための催促情報ｂを出力する。
【００５０】
［２−２．動作］
次に、本実施の形態の情報通知装置１１０の動作について説明する。本実施の形態の情報通知装置１１０の動作は、基本的に実施の形態１の情報通知装置１００と同様である。ただし、実施の形態１では電源装置、充電時間推定部、及び比較部が１系統であったのに対し、本実施の形態ではこれが２系統となっている。したがって、第１充電時間及び第２充電時間の推定と、これらに基づく催促情報ａ及び催促情報ｂの出力については、コントローラ１１６が各々を独立して処理する。
【００５１】
［２−３．効果等］
以上のように、本実施の形態において、情報通知装置１１０は、第１通信回路１０３と、第２通信回路１０４と、時計１０５と、コントローラ１１６と、を備える。第１通信回路１０３は、輸送機器が目的地に到着する予定時刻に関する第１情報が入力される。第２通信回路１０４は、スマートフォン３００からスマートフォン３００が備えるバッテリの残量に関する第２情報が入力される。時計１０５は、現在時刻を保持する。コントローラ１１６は、第２情報と、第１電力情報とに基づいてスマートフォン３００を満充電まで充電するのにかかる第１充電時間を算出する。第１電力情報は、スマートフォン３００を充電する第１電源装置４０１の、スマートフォン３００への電力供給能力に関する情報である。コントローラ１１６は、第１情報、現在時刻、及び第１充電時間に基づく第１タイミングで、スマートフォン３００を充電するように促す情報を出力する。コントローラ１１６は、第２情報と、第２電力情報とに基づいてスマートフォン３００を満充電まで充電するのにかかる第２充電時間を算出する。第２電力情報は、スマートフォン３００を充電する第２電源装置４０２の、スマートフォン３００への電力供給能力に関する情報である。コントローラ１１６は、第１情報、現在時刻、及び第２充電時間に基づく第２タイミングで、スマートフォン３００を充電するように促す情報を出力する。
【００５２】
これにより、スマートフォン３００のユーザは、輸送機器の目的地到着までの残り時間を利用してスマートフォン３００を満充電にできるぎりぎりのタイミング、つまりこれ以上充電開始が遅れると、目的地到着までにスマートフォン３００を満充電にできない（可能性がある）、というタイミングを知ることができる。また、複数の充電方式のそれぞれについて、このタイミングを知ることができる。このため、情報通知装置１１０は、輸送機器の目的地到着後においてスマートフォン３００のバッテリの残容量不足を未然に防止するのに有効である。
【００５３】
（他の実施の形態）
以上のように、本出願において開示する技術の例示として、実施の形態１〜２を説明した。しかしながら、本開示における技術は、これに限定されず、変更、置き換え、付加、省略などを行った実施の形態にも適用できる。また、上記実施の形態１〜２で説明した各構成要素を組み合わせて、新たな実施の形態とすることも可能である。
【００５４】
そこで、以下、他の実施の形態を例示する。
【００５５】
上記実施の形態では、輸送機器の外部に設けられたサーバが目的地に到着する予定の時刻を推定し、有線接続により第１通信回路１０３に第１情報を提供する構成について説明した。第１通信回路１０３は、無線通信可能であってもよい。すなわち、サーバが無線接続により第１通信回路１０３に第１情報を提供する構成としてもよい。
【００５６】
上記実施の形態では、サーバが第１情報を第１通信回路１０３に入力する構成について説明した。第１情報は、スマートフォン３００が第１通信回路１０３に入力するようにしてもよい。スマートフォン３００はＧＰＳを搭載し、ナビゲーション機能をもつものもある。こうした機能を持つ場合には、スマートフォン３００がサーバ２００の役割を果たすことができる。すなわち、スマートフォン３００が到着予定時刻の情報を第１情報として、無線通信により第１通信回路１０３に入力するようにしてもよい。
【００５７】
上記実施の形態では、全バッテリ容量を用いて充電量を推定し、目的地到着前にバッテリが満充電状態になるように催促情報を出す構成について説明した。情報通知装置は、全バッテリ容量を満充電とせずに全バッテリ容量より数％低い値をその代わりとして使ってもよい。スマートフォン等で広く使われているリチウムイオン電池は高温条件下で満充電状態を保つと劣化が早まるということもあり、このようにすることで電池に負担をかけずに充電を行える効果が見込める。
【００５８】
上記実施の形態では、電源装置が輸送機器内において、情報通知装置とは別に設けられる構成について説明した。電源装置は、情報通知装置内に設けられるようにしてもよい。
【００５９】
上記実施の形態では、電源装置が外部機器への電力供給能力に関する情報として、電流値を情報通知装置に通知する構成について説明した。情報通知装置は、電源装置から取得する電流値をあらかじめメモリに記憶しておくようにしてもよい。
【００６０】
上記実施の形態では、電源装置が外部機器に電力を直接供給する構成について説明した。電源装置は、情報通知装置を介して外部機器に電力を供給するようにしてもよい。すなわち、情報通知装置は、電源装置から供給される電力により自身を動作させると共に、情報通知装置と接続された外部機器に電力の一部を供給することにより、外部機器を充電するようにしてもよい。
【００６１】
上記実施の形態では、コントローラ（充電時間推定部）が、電源装置から電流値を取得する構成について説明した。充電時間推定部は、電源装置が供給できる最大電流（電力）に関する情報を知ることができさえすればよい。したがって充電時間推定部が、電源装置が供給する電流を測定することにより、電流値を実測値として取得するようにしてもよい。
【００６２】
実施の形態２において、スマートフォン３００が複数の種類の充電方式に対応していることを情報通知装置１１０が知ることができない場合には、複数の電源供給方法のそれぞれについて催促情報をだせばよい。また、情報通知装置１１０が、スマートフォン３００からの通知に基づき、対応する充電方式を知ることができる場合には、対応している電源供給源に応じた催促情報のみを出力させるようにしてもよい。そうすることで、ユーザが不要な情報を抑制し、必要な情報のみを提供することができる。また、情報通知装置１１０が、複数の催促情報のうち、タイミングが遅いほうの催促情報のみを出力するようにしてもよい。そうすることで、必要最小限の情報をユーザに提供することができる。
【００６３】
実施の形態２において、催促情報に則り、ユーザがスマートフォン３００の充電をしている場合には、別電源供給方法での催促情報の出力を行わないようにしてもよい。
【００６４】
実施の形態２において、異なる電源供給方法である複数の電源装置を輸送機器の中の同一箇所に設置する必要はなく、離れた場所に設置してもよい。
【００６５】
実施の形態２では、電源装置を２つとして説明したが、情報通知装置が催促情報の出力を判定する電源装置を２個に限る必要はなく、２個を超える数の電源装置であっても同様の判定を行い、判定数相応の催促情報をユーザに向けて出力してもよい。
【００６６】
なお、上述の実施の形態は、本開示における技術を例示するためのものであるから、特許請求の範囲またはその均等の範囲において種々の変更、置き換え、付加、省略などを行うことができる。
【産業上の利用可能性】
【００６７】
本開示の情報通知装置は、輸送機器の目的地到着後において外部機器のバッテリの残容量不足を未然に防止するのに有効であるため、輸送機器が備える情報通知装置に適用可能である。
【符号の説明】
【００６８】
１００    情報通知装置
１１０    情報通知装置
１０３    第１通信回路
１０４    第２通信回路
１０５    時計
１０６    コントローラ
１０８    充電量推定部
１０９    判定部
１０９ａ    充電可能時間推定部
１０９ｂ    充電時間推定部
１０９ｃ    比較部
１１６    コントローラ
１１９    判定部
１１９ａ    充電可能時間推定部
１１９ｂａ    第１充電時間推定部
１１９ｂｂ    第２充電時間推定部
１１９ｃａ    第１比較部
１１９ｃｂ    第２比較部
２００    サーバ
３００    スマートフォン
４００    電源装置
４０１    第１電源装置
４０２    第２電源装置
【図１】
2016179808.tif 000003
【図２】
2016179808.tif 000004
【図３】
2016179808.tif 000005
【図４】
2016179808.tif 000006
【図５】
2016179808.tif 000007
【図６】
2016179808.tif 000008